(57)【要約】      （修正有）【課題】簡単な方法で組み立てかつ保守することができ、かつ確実な指挟み防止を有するセクション型ゲート用のゲート扉を提供する。【解決手段】ゲート扉は枢着結合されたゲートパネル３と、枠セグメントから構成されたドア枠１１とを有し、くぐり戸２は、枢着結合されたドアパネル４が組み合わされたドア扉５と、縁セグメント６から構成されたドア扉５の縁部とを有し、前記縁セグメントは、くぐり戸２が閉じているときにドア枠１１の枠セグメントを隠し、セクション型ゲートの開閉動作中に隣接する２つの縁セグメント６が折れ曲がったときに各縁セグメント６の間の領域を橋渡しして指の差し入れを防ぐ帯状片９を収容しており、帯状片９が、対応付けられた縁セグメント６内に係止結合で保持され、帯状片９がそれぞれ、係止突部を備えた弾性的な舌片を有しており、前記係止突部が対応付けられた縁セグメント６の開口部内に係止される。【選択図】図２ｂ
2008144576.tif 000002
【特許請求の範囲】
【請求項１】
くぐり戸（２）を備えるセクション型ゲートのゲート扉であって、
ゲート扉（１）は枢着結合されたゲートパネル（３）と、枠セグメント（１０）から構成されたドア枠（１１）と、を有しており、
くぐり戸（２）は、枢着結合されたドアパネル（４）が組み合わされたドア扉（５）と、縁セグメント（６）から構成されたドア扉（５）の縁部（７）と、を有しており、
前記縁セグメントは、くぐり戸（２）が閉じているときにドア枠（１１）の枠セグメント（１０）を隠し、セクション型ゲートの開閉動作中に隣接する２つの縁セグメント（６）が折れ曲がったときに各縁セグメント（６）の間の領域を橋渡しして指の差し入れを防ぐ帯状片（９）を収容しており、
帯状片（９）が、対応付けられた縁セグメント（６）内に係止結合で保持されており、帯状片（９）はそれぞれ、係止突部（２６）を備えた弾性舌片（２５）を有しており、前記係止突部が対応付けられた縁セグメント（６）の開口部（２７）内に係止されていることを特徴とする、くぐり戸を備えるセクション型ゲート用のゲート扉。
【請求項２】
帯状片（９）がそれぞれ、帯状片の背面側において弾性的な舌片（２５）の領域に突部（３１）を有しており、
縁セグメント（６）が中空部材（１４）として形成されており、かつ、帯状片（９）が中空部材（１４）のチャンバ（１５）内に配置されており、
突部（３１）における帯状片（９）の厚みが、それぞれ対応付けられたチャンバ（１５）の内法幅に相当する、ことを特徴とする請求項１に記載のゲート扉。
【請求項３】
帯状片（９）が、その帯状片の背面側に、帯状片長手方向に延びるウェブ（３２）を有していることを特徴とする請求項１または２に記載のゲート扉。
【請求項４】
それぞれ２つの縁セグメント（６）の間の橋渡しすべき各領域に、少なくとも１つの別体の帯状片（９）が対応付けられていることを特徴とする請求項１から３のいずれか１項に記載のゲート扉。
【請求項５】
ゲート扉外側（１２）において、２つの隣接する縁セグメント（６）の間に、カバー部材（２３）が配置されており、前記カバー部材の終端部分（２４）が対応付けられた帯状片（９）を把持することを特徴とする請求項１から４のいずれか１項に記載のゲート扉。
【請求項６】
ゲート扉（１）が閉鎖されている場合に、隣接する縁セグメント（６）がカバー部材（２３）を介して互いに支持されていることを特徴とする請求項５に記載のゲート扉。
【請求項７】
カバー部材（２３）が、弾性的な材料からなることを特徴とする請求項５または６に記載のゲート扉。
【請求項８】
帯状片（９）が、熱可塑性プラスチックから形成されていることを特徴とする請求項１から７のいずれか１項に記載のゲート扉。
【発明の詳細な説明】
【技術分野】
【０００１】
本発明は、くぐり戸を備えるセクション型ゲートのゲート扉に関するものである。
【背景技術】
【０００２】
本発明は、特許ＤＥ１０２００５０４４３１１．７（本出願の優先日において未公開）に記載のくぐり戸を備えるセクション型ゲートのゲート扉に関連するものであって、ゲート扉は枢着結合されたゲートパネルと、枠セグメントから構成されたドア枠と、を有しており、くぐり戸は、枢着結合されたドアパネルが組み合わされたドア扉と、縁セグメントから構成されたドア扉の縁部と、を有しており、前記縁セグメントは、くぐり戸が閉じているときにドア枠の枠セグメントを隠し、セクション型ゲートの開閉動作中に隣接する２つの縁セグメントが折れ曲がったときに各縁セグメントの間の領域を橋渡しして指の差し入れを防ぐ帯状片を収容している。
【０００３】
くぐり戸は、ゲート扉全体を開放する必要なしに、セクション型ゲートを通過することを可能にする。くぐり戸は、手動で開放および閉鎖することができ、従って、たとえばゲート扉駆動装置が故障した場合であっても、操作することができる。くぐり戸は、非常時において迅速かつ確実に開放することができ、従って、そのゲート扉がくぐり戸を有するセクション型ゲートは、セクション型ゲートの他に付加的な出口を持たないガレージやホールに特に適している。開放移動または閉鎖移動の際に、ゲート扉はアーチ形状のトラックに沿って走行し、その場合にそれぞれ隣接するゲートパネル、ドアパネル、枠セグメントおよび縁セグメントは互いに揺動運動を実施する。
【０００４】
冒頭で説明した特徴を有するセクション型ゲートが、公報ＤＥ２０２００６００１７７９Ｕ１から知られており、その場合に屈曲される場合に２つの縁セグメントの間に形成される間隙を橋渡しするために、それぞれ弾性的な帯状片が設けられている。帯状片は、縁セグメント内に摺動可能に配置されており、その場合に帯状片の移動は中央の隆起部によって制限されている。帯状片を直接抜け落ちないように固定するために、この帯状片は隆起部の上方にも下方にも、最大に屈曲された場合に形成される間隙よりも大きい長さを持たなければならない。さらに、帯状片がその柔軟性に基づいて、ゲート扉を利用する際にユーザーによってうっかりと除去されてしまう危険がある。常に帯状片の機能を保証するためには、両方の帯状片端部も対応付けられた縁セグメント内で軽く滑り移動するように案内されなければならない。というのは、帯状片の固着が、折れ曲がりをもたらす可能性があるからである。帯状片は、最大で形成される間隙の少なくとも２倍の長さであるので、ゲート扉が組み立てられている場合には、摩耗した帯状片を交換することは困難である。
【発明の開示】
【発明が解決しようとする課題】
【０００５】
本発明の課題は、とりわけ簡単な方法で組み立てかつ保守することができ、かつ確実な指挟み防止を有するセクション型ゲート用のゲート扉を提供することである。
【課題を解決するための手段】
【０００６】
冒頭で説明した特徴を有するゲート扉に基づいて、この課題は本発明によれば、帯状片が対応付けられた縁セグメント内に係止結合によって保持されており、帯状片はそれぞれ、係止突部を備えた弾性的な舌片を有しており、その係止突部が対応付けられた縁セグメントの開口部内に係止されていることによって、解決される。
【０００７】
帯状片は、本発明によれば、弾性的な舌片によって対応付けられた縁セグメントに固定されており、それによって帯状片の両方の端部（上側の部分と下側の部分）は屈曲する場合に常に定められた滑り運動を実施する。帯状片の滑り移動する部分は、形成される間隙を橋渡ししなければならないが、弾性的な舌片を有する部分は比較的短く形成することができ、それによって、特にドア扉がすでにつなぎ合わされている場合に、取付けと交換が容易になる。
【０００８】
すなわち、２つの屈曲された縁セグメントの間へ、先ず、滑り移動する部分を、次いで、帯状片の短い部分を、対向する縁セグメント内へ問題なく挿入することができる距離だけ、挿入することができる。その場合に帯状片は、弾性的な舌片を対応付けられた縁セグメント内へ、弾性的な舌片の係止突部が縁セグメントの対応付けられた開口部内へ嵌り込むまで、挿入される。その場合に帯状片は、ドア扉の縁に確実に保持され、ユーザーによる不用意な除去もほとんど排除される。帯状片を交換するために、係止結合は、好ましくは取り外し可能である。取付けは、特に簡単であって、訓練されていない人によっても実施することができる。帯状片の、付加的な、複雑なリベット止めまたは接着は、不要である。
【０００９】
本発明の好ましい形態の枠内において、帯状片は、帯状片の背面側においてそれぞれ弾性的な舌片の領域に突部を有しており、その場合に縁セグメントは中空部材（例えば中空型材）として形成されており、帯状片が中空型材のチャンバ内に配置されている。その場合に突部の厚みは、特に好ましくは、対応付けられたチャンバの内法幅にほぼ相当し、それによって一方で、対応付けられた開口部内への係止突部の定められた嵌り込みを達成することができ、他方では帯状片が少なくともほとんど遊びなしで収容されている。
【００１０】
本発明において、帯状片はその背面側においても、少なくともその滑り移動するように案内される部分において、帯状片長手方向に延びるウェブを有することができる。ウェブは、形状安定性を改良するためにも、帯状片の滑り特性を改良するためにも寄与することができる。特にウェブによって、帯状片の急激な摩耗および折れ曲がりを防止することができる。
【００１１】
好ましくは、２つの縁セグメントの間の各橋渡しすべき領域に、少なくとも１つの別体の帯状片が対応付けられている。
【００１２】
縁セグメントの開口部は、孔またはフライス穴として形成することができ、くぐり戸が閉鎖されている場合には、縁セグメントの覆われる側に配置されている。開口部は、個々の縁セグメントの上方の端部または下方の端部に無条件に設けることができ、その場合に２つの隣接する縁セグメントにおいて、帯状片は下方ないし上方の縁セグメントに固定されている。
【００１３】
本発明の枠内において、ゲート扉外側において、２つの隣接する縁セグメントの間にカバー部材を配置することができ、そのカバー部材の終端部分が、対応付けられた帯状片を把持する。カバー部材は、ゲート扉が閉鎖されている場合に、外観を改良し、くぐり戸の縁を密閉するために用いられ、好ましくは、ゲート扉が閉鎖されている場合に、隣接する縁セグメントはカバー部材を介して互いに支持されている。その場合に好ましくは、カバー部材は弾性的に撓む材料から、例えばエラストマーまたは弾性的な発泡材料からなる。
【００１４】
縁セグメントの屈曲運動に追従することができるようにするために、帯状片は十分な柔軟性を持たなければならない。すなわち、帯状片は、たとえば、可撓性の薄板から形成することができる。しかし好ましい形態においては、帯状片は熱可塑性プラスチックから形成されている。熱可塑性プラスチックから帯状片を形成することが、特に簡単な方法で、帯状片に機能的な部材、たとえば弾性的な舌片、選択的に設けられるウェブおよび／または突部を設けることを可能とする。帯状片の前面側と帯状片の背面側に、無条件に滑り部材または滑りコーティングを設けることができる。さらに、縁セグメントおよび帯状片の材料選択は、できるだけ摩擦および摩耗の少ない材料の組み合わせに関して決定することができる。
【発明を実施するための最良の形態】
【００１５】
図１には、くぐり戸２付きのセクション型ゲート用の本発明に基づくゲート扉１が示されている。ゲート扉１は、ゲート扉背側で枢着結合された、複数のゲートパネル３から構成されている。くぐり戸２は、ヒンジ１３を介して枢着結合されたドアパネル４からなるドア扉５と、縁セグメント６からなるドア扉５の縁部７とを有している。ドア扉５の上側および下側に、それぞれ終端ストリップ８、８’が配置されている。
【００１６】
隣接する縁セグメント６において、移行領域にそれぞれ帯状片９が配置されており、その帯状片はその一方の部分２２において係止結合によって保持されている。枠セグメント１０から構成されたドア枠１１は、ドア扉５の縁部７によって完全に覆われている。縁セグメント６の間において、ゲート扉外側１２に、弾性的な材料からなるカバー部材２３が配置されている。帯状片９は、ゲート扉１が閉鎖されている場合に、カバー部材２３によって覆われており、かつカバー部材２３の終端部分２４によって把持される。くぐり戸２は、ドアヒンジを介してドア枠１１に連結されている。
【００１７】
図２ａは、２つの隣接する縁セグメント６の拡大した部分を示しており、それら縁セグメントはゲート扉１が閉鎖されている場合にカバー部材２３を介して互いに重なっている。図２ｂは、この部分を、ゲート扉１の開放運動または閉鎖運動の間に隣接する縁セグメント６が屈曲された場合において示している。縁セグメント６の間の領域は、滑り移動するように案内される帯状片９の部分２２’によって橋渡しされ、それによって図示されている隣接する縁セグメント６の間への指の進入が阻止される。帯状片９の滑り移動するように案内される部分２２’は、縁セグメント６が揺動した場合に形成される間隙を橋渡しする長さである。
【００１８】
帯状片９は、その下方の短い部分２２が、対応付けられた縁セグメント６内に係止結合することによって保持されている。この目的のために帯状片９は、係止突部２６を備えた弾性的な舌片２５を有しており、その係止突部が対応付けられた縁セグメント６の開口部２７内に係止されている。開口部２７は、単純な孔として形成されており、その孔はくぐり戸２が閉鎖されている場合には、対応する縁セグメント６の上方の領域内に覆われて配置されている。縁セグメント６は、中空型材１４として、好ましくはアルミニウム中空型材として形成されている。図示の帯状片９は、隣接する中空型材１４のチャンバ１５内に配置されている。
【００１９】
図３ａと３ｂは、図２ａないし図２ｂに基づく配置を示しており、その場合にゲート扉１のゲートパネル３とドア枠１１は図示されていない。図３ａから明らかなように、カバー部材２３によって縁部７の良好な密閉が得られる。帯状片９によって指挟み防止が保証されているので、縁セグメント６は実質的にまっすぐにカットすることができる。図３ｂから明らかなように、ドアパネル４はその上側に指挟み防止プロファイル２８を有しており、それがその上に配置されたドアパネル４の対応付けられた切欠き２９内へ嵌入する。詳細には図示されていないゲートパネル３も、同様に形成されている。ドアパネル４ないしゲートパネル３の間を密閉するために、パネルプロファイル内へ挿入されるシール３０が設けられている。
【００２０】
図５は、帯状片９の好ましい形態を、後方から示しており、係止突部２６を有する弾性的な舌片２５が、帯状片９の短い部分２２に配置されている。短い部分２２の領域において、帯状片背面側に突部３１が設けられており、その場合に突部３１における帯状片９の厚みは、中空型材１４の対応付けられたチャンバ１５の内法幅（図示の例では、チャンバ１５の断面の短尺方向の寸法）にほぼ相当する。帯状片９は、突部３１によって対応付けられた縁セグメント６内にほとんど遊びなしで保持されており、それによって確実な係止結合が保証される。
【００２１】
帯状片の前面側は、好ましくは滑らかであって、帯状片の背面側には機械的な特性を改良するために、かつスライド部材として、帯状片長手方向に延びるウェブ３２が設けられている。さらに、帯状片の端縁に、切欠き３３が形成されており、図４に詳細に示すカバー部材２３の終端部分２４がその切欠き内へ嵌り込むことができるので、カバー部材２４がずれに対して保護されている。弾性的に撓む帯状片９は、摩擦に耐える熱可塑性プラスチックから形成されている。
【図面の簡単な説明】
【００２２】
【図１】くぐり戸を有するセクション型ゲートのための本発明に基づくゲート扉を示す。
【図２ａ】セクション型ゲートが閉鎖されている場合において、２つの隣接する縁セグメントの一部を示す。
【図２ｂ】図２ａに示す領域を、ゲート扉の開放運動または閉鎖運動の途中において隣接する縁セグメントが屈曲された場合において示す。
【図３ａ】図２ａに基づく配置を示しており、見易くするためにゲートパネルとそれに固定された、枠セグメントから形成されるドア枠は図示されていない。
【図３ｂ】図２ｂに基づく配置を示しており、見易くするためにゲートパネルとそれに固定された、枠セグメントから形成されるドア枠は図示されていない。
【図４】カバー部材の詳細を示す。
【図５】帯状片の詳細を背側から示す。
【符号の説明】
【００２３】
１  ゲート扉
２  くぐり戸
３  ゲートパネル
４  ドアパネル
５  ドア扉
６  縁セグメント
７  縁部
９  帯状片
１０  枠セグメント
１１  ドア枠
２５  舌片
２６  係止突部
２７  開口部
【図１】
2008144576.tif 000003
【図２ａ】
2008144576.tif 000004
【図２ｂ】
2008144576.tif 000005
【図３ａ】
2008144576.tif 000006
【図３ｂ】
2008144576.tif 000007
【図４】
2008144576.tif 000008
【図５】
2008144576.tif 000009